(57)【要約】      （修正有）【課題】保管される文字認識結果に含まれる誤読文字を減らし得る構成を提供する。【解決手段】情報読取システムの情報読取装置において、撮像部により撮像された画像から認識された旅券情報６１ａの文字列が、抽出された旅券番号に関連付けられて認識文字列としてメモリに記憶される。そして、文字列が認識されたパスポート６０ごとに、対応する旅券番号がメモリに記憶されているか否かについて判定され、対応する旅券番号がメモリに記憶されていると判定されると、認識された現文字列と、旅券番号に関連してメモリに記憶される認識文字列とが比較されて、その比較結果が報知部として機能するモニタの表示により報知される。そして、現文字列又は認識文字列を修正するための情報を入力可能な入力部として入力装置が設けられる。【選択図】図５
2019067179.tif 000002
【特許請求の範囲】
【請求項１】
表示媒体に表示される文字列を撮像する撮像部と、
前記撮像部により撮像された画像から文字列を認識する文字認識部と、
前記文字認識部による認識結果に基づいて前記表示媒体を特定可能な特定情報を抽出する抽出部と、
前記文字認識部により認識された文字列が、前記抽出部により抽出された前記特定情報に関連付けられて認識文字列として記憶される記憶部と、
前記文字認識部により文字列が認識された前記表示媒体ごとに、対応する前記特定情報が前記記憶部に記憶されているか否かについて判定する判定部と、
前記判定部により対応する前記特定情報が前記記憶部に記憶されていると判定されると、前記文字認識部により認識された文字列と、前記特定情報に関連して前記記憶部に記憶される前記認識文字列とを比較する比較部と、
前記比較部による比較結果を報知する報知部と、
前記認識文字列を修正するための情報を入力可能な入力部と、
を備えることを特徴とする情報読取装置。
【請求項２】
前記報知部は、前記比較部による比較結果として、前記撮像部により撮像された前記文字列を利用して、前記文字認識部により認識された文字列と前記記憶部に記憶される前記認識文字列との異なる文字部分を明示して報知することを特徴とする請求項１に記載の情報読取装置。
【請求項３】
前記文字認識部は、前記抽出部により前記特定情報を抽出可能であって前記文字列の一部が認識できない場合に、当該特定情報に関連付けられた前記認識文字列が前記記憶部に記憶されていると、当該認識文字列に基づいて、認識できない前記文字列の一部を推定することを特徴とする請求項１または２に記載の情報読取装置。
【請求項４】
前記記憶部には、前記文字認識部により認識された文字列が、前記撮像部により撮像された撮像画像のうち少なくとも前記文字列と異なる部分であって前記表示媒体を特定可能な特定画像部分と前記抽出部により抽出された前記特定情報との双方に関連付けられて記憶され、
前記比較部は、さらに、前記特定情報に関連して前記記憶部に記憶される前記特定画像部分と前記撮像部により撮像された撮像画像のうち前記特定画像部分に対応する部分とを比較した結果を前記比較結果に含めることを特徴とする請求項１〜３のいずれか一項に記載の情報読取装置。
【請求項５】
請求項１〜４のいずれか一項に記載の情報読取装置を複数有する情報読取システムであって、
前記複数の情報読取装置のそれぞれと通信可能なサーバを備え、
前記記憶部に記憶される情報のうち少なくとも前記認識文字列及び前記特定情報に関する情報は、前記サーバを利用して前記複数の情報読取装置間で共有されることを特徴とする情報読取システム。
【発明の詳細な説明】
【技術分野】
【０００１】
本発明は、撮像した文字情報に関する文字認識機能を有する情報読取装置及び情報読取システムに関するものである。
【背景技術】
【０００２】
従来、外国人観光客の免税書類は、パスポート（旅券）を目視してその文字を手書きで書き写して作成されていたが、外国人観光客の増加に伴い、パスポートの所定の表示面に記載されている文字を撮像して文字認識して得られた読み取りデータを利用することで免税書類の作成時間を短縮したいというニーズが増加している。
【０００３】
このような撮像した文字を認識する技術として、例えば、下記特許文献１に開示されるＯＣＲシステムが知られている。このＯＣＲシステムでは、読み取った電子画像フォームを性質の異なる２種類以上のＯＣＲエンジンでＯＣＲ認識することで、認識結果が一致した文字は自動的にデータベースへ保存され、一致しない文字又は認識の信頼性の低い文字は確認修正後にデータベースへ保存される。これにより、誤り検出率を高めてＯＣＲシステムの精度（認識率）を向上させている。
【先行技術文献】
【特許文献】
【０００４】
【特許文献１】特開２０１０−０７３２０１号公報
【発明の概要】
【発明が解決しようとする課題】
【０００５】
ところで、パスポートの表示面を撮像することで読み取られた読み取りデータは、一定期間保管する必要がある一方で、パスポートの表示面や読取装置の読取面に付着しているゴミ等に起因して誤読される可能性がある。また、安価な読取装置では文字認識性能が低いために誤読してしまう可能性がある。撮像した文字を認識できない場合には、その箇所を報知することで正しい文字情報を入力することもできるが、上述のように誤った文字が認識されてしまうとその誤読文字を補正する機会もなく読み取りデータが保管（記憶）されてしまうという問題がある。この問題を解決するため、パスポートの表示面を撮像するごとに、読み取った読み取りデータを表示した表示画面と実際のパスポートの表示面とを見比べて誤読文字が無いか確認する方法もあるが、確認のために多大な手間がかかるため現実的ではない。この問題は、パスポートに限らず、表示媒体の表示面に表示される文字列を読み取りその読み取りデータを保管する情報読取装置であれば、同様に生じるものである。
【０００６】
本発明は、上述した課題を解決するためになされたものであり、その目的とするところは、保管される文字認識結果に含まれる誤読文字を減らし得る構成を提供することにある。
【課題を解決するための手段】
【０００７】
上記目的を達成するため、特許請求の範囲の請求項１に記載の発明は、
表示媒体（６０）に表示される文字列（６１ａ）を撮像する撮像部（２３）と、
前記撮像部により撮像された画像から文字列を認識する文字認識部（４０）と、
前記文字認識部による認識結果に基づいて前記表示媒体を特定可能な特定情報を抽出する抽出部（４０）と、
前記文字認識部により認識された文字列が、前記抽出部により抽出された前記特定情報に関連付けられて認識文字列として記憶される記憶部（３５）と、
前記文字認識部により文字列が認識された前記表示媒体ごとに、対応する前記特定情報が前記記憶部に記憶されているか否かについて判定する判定部（４０）と、
前記判定部により対応する前記特定情報が前記記憶部に記憶されていると判定されると、前記文字認識部により認識された文字列と、前記特定情報に関連して前記記憶部に記憶される前記認識文字列とを比較する比較部（４０）と、
前記比較部による比較結果を報知する報知部（４６）と、
前記認識文字列を修正するための情報を入力可能な入力部（４７）と、
を備えることを特徴とする。
なお、上記各括弧内の符号は、後述する実施形態に記載の具体的手段との対応関係を示すものである。
【発明の効果】
【０００８】
請求項１の発明では、撮像部により撮像された画像から文字認識部により認識された文字列が、抽出部により抽出された特定情報に関連付けられて認識文字列として記憶部に記憶される。そして、文字認識部により文字列が認識された表示媒体ごとに、対応する特定情報が記憶部に記憶されているか否かについて判定部により判定され、対応する特定情報が記憶部に記憶されていると判定されると、文字認識部により認識された文字列と、特定情報に関連して記憶部に記憶される認識文字列とが比較部により比較されて、その比較結果が報知部により報知される。そして、認識文字列を修正するための情報を入力可能な入力部が設けられる。
【０００９】
これにより、表示媒体を撮像することで読み取った文字列と、過去にその表示媒体を撮像することで読み取って記憶された文字列とが一部でも異なっているとその旨が比較結果として報知されるので、例えば、過去に読み取った文字列に誤読文字が含まれている場合でもその誤読文字の存在を容易に把握することができる。このような場合には、当該表示媒体の文字列を視認した上で入力部を利用して認識文字列を修正するための情報を入力できる。したがって、記憶部に保管（記憶）される文字認識結果に含まれる誤読文字を減らして情報のブラッシュアップを行い得る情報読取装置を実現することができる。
【００１０】
請求項２の発明では、報知部は、比較部による比較結果として、撮像部により撮像された文字列を利用して、文字認識部により認識された文字列と記憶部に記憶される認識文字列との異なる文字部分を明示して報知する。これにより、過去に読み取った文字列に誤読文字が含まれている場合には、その誤読文字部分が現時点で撮像された文字列を利用して明示されるので、誤読文字の箇所を容易に把握できるだけでなく、どの文字に修正すればよいか容易に判断することができる。
【００１１】
請求項３の発明では、文字認識部は、抽出部により特定情報を抽出可能であって文字列の一部が認識できない場合に、当該特定情報に関連付けられた認識文字列が記憶部に記憶されていると、当該認識文字列に基づいて、認識できない文字列の一部を推定する。これにより、撮像した文字列の一部が認識できない場合でも、その認識できない文字列の一部を、その表示媒体に関して過去に読み取った認識文字列から推定できるので、認識できない文字の補正に関して入力作業を減らすことができる。
【００１２】
請求項４の発明では、記憶部には、文字認識部により認識された文字列が、撮像画像のうち少なくとも表示媒体を特定可能な特定画像部分と特定情報との双方に関連付けられて記憶される。そして、比較部により、さらに、特定情報に関連して記憶部に記憶される特定画像部分と撮像部により撮像された撮像画像のうち特定画像部分に対応する部分とを比較した結果が比較結果に含められる。これにより、例えば、読み取られた表示媒体の文字列や特定画像部分に相当する写真が記憶された後にその写真の貼り替えを行っていると、その表示媒体の文字列を読み取る際にその写真の部分を異なる比較結果として報知できるので、写真の貼り替え等の偽造防止に寄与することができる。
【００１３】
請求項５の発明では、それぞれの記憶部に記憶される情報のうち少なくとも認識文字列及び特定情報に関する情報は、サーバを利用して複数の情報読取装置間で共有されるため、どの情報読取装置を利用しても保管（記憶）される文字認識結果に含まれる誤読文字を減らして情報のブラッシュアップを行うことができるので、システムとして利便性を高めることができる。
【図面の簡単な説明】
【００１４】
【図１】第１実施形態に係る情報読取装置を示す斜視図である。
【図２】図１の情報読取装置の平面図である。
【図３】図２の情報読取装置のＸ−Ｘ断面を概略的に示す断面概略図である。
【図４】図１の情報読取装置の電気的構成を概略的に例示するブロック図である。
【図５】パスポートにおける表示面の表示状態を示す説明図である。
【図６】パスポートの表示面を読取口に接触させるようにかざした状態を示す斜視図である。
【図７】制御部にて行われる読取処理の流れを例示するフローチャートの一部である。
【図８】制御部にて行われる読取処理の流れを例示するフローチャートの一部である。
【図９】画像比較処理のサブルーチンの流れを例示するフローチャートの一部である。
【図１０】未認識文字補完処理のサブルーチンの流れを例示するフローチャートの一部である。
【図１１】読取処理において、現文字列と現撮像画像との表示状態と説明する説明図である。
【図１２】現文字列に誤読文字が含まれる場合の表示状態を説明する説明図である。
【図１３】認識文字列が補完される場合の表示状態を説明する説明図である。
【図１４】未認識文字が含まれる場合の表示状態を説明する説明図である。
【図１５】第２実施形態に係る情報読取システムの概略構成を説明する説明図である。
【発明を実施するための形態】
【００１５】
［第１実施形態］
以下、本発明の第１実施形態に係る情報読取装置について、図面を参照して説明する。
図１及び図２等に示す情報読取装置１０は、机や棚などの上面を載置面としてこの載置面上に載置される据置型の読取装置であって、撮像した表示媒体の情報を読み取るだけでなく当該表示媒体の撮像画像を保管可能な撮像画像保管装置として構成されるものである。本実施形態では、特定の文字フォーマットを利用した所定の情報や情報コード等が表示面に表示される表示媒体を撮像対象としている。このため、情報読取装置１０は、撮像した文字情報等を認識する文字認識機能として公知の記号認識処理機能（ＯＣＲ）や撮像した情報コードを読み取る情報コードリーダとしての機能など、撮像した光学的情報を光学的に読み取る機能（光学的情報読取手段）を有するように構成されている。
【００１６】
本実施形態では、特定の文字フォーマットを利用して所定の情報等が表示面に表示される表示媒体として、例えば、図５に例示するようなパスポート（旅券）６０を想定している。パスポート６０は、図５に示すように、国際民間航空機関（ＩＣＡＯ）が発行するＤｏｃ９３０３の規格に基づいて、顔写真が表示された身分事項のページ（以下、表示面６１ともいう）が見開きの一方の片面となるように構成されている。この表示面６１のうち下欄となる決められた領域には、決められた特定の文字フォーマットを利用した旅券情報６１ａが表示されている。この旅券情報６１ａには、パスポート６０を特定可能な特定情報としての旅券番号や姓名・国籍等の情報が含まれている。
【００１７】
また、読み取り対象となる情報コードとしては、例えば、バーコード等の一次元コードやＱＲコード（登録商標）等の二次元コードなど複数種類のセルが配列されて構成される公知のコードを想定している。このため、本実施形態では、パスポート６０の表示面６１を撮像して旅券情報６１ａを認識等するパスポート読取モード、情報コードを光学的に読み取る情報コード読取モード、文字認識不要な運転免許証等を撮像してその画像を保管する免許証等読取モードの少なくとも３つのモードが切り替え可能に用意されている。
【００１８】
情報読取装置１０は、例えばＡＢＳ樹脂等の樹脂材料によって当該情報読取装置１０の外郭を構成する筐体１１を備えている。この筐体１１は、図１等に示すように、上ケース１２と下ケース１３と備えており、これら上ケース１２と下ケース１３とが上下に組み付けられた構成で全体として略箱状に形成されている。そして、筐体１１の内部には、後述する照明光源２１、結像部２７、撮像部２３、反射部材５０などの各部品が収容されている。
【００１９】
図２等に示すように、筐体１１の上面１１ａには光の出入口となる読取口１４が矩形状に形成されており、読取口１４を介して筐体外からの光が筐体内に入り込み、筐体内からの光が筐体外に放出されるようになっている。そして、結像部２７、撮像部２３によって構成される光学系は、この読取口１４にかざされる表示媒体を撮像するように機能する。
【００２０】
筐体１１の上面１１ａは、読取口１４と当該読取口１４の一辺１４ａに連なる帯状の一端部１５とにより構成されて、保護プレート１６により保護されている。この保護プレート１６は、所定の厚さの平坦な板として構成され、筐体外からの光や筐体内からの光が透過可能となる光透過性の部材（例えば、透明なアクリル樹脂や透明ガラス等）によって構成されている。また、一端部１５には、後述する操作部４２や表示部４３等が配置されている。
【００２１】
読取口１４の四辺のうち一辺１４ａに対向する辺１４ｂは、筐体１１の上面１１ａの一縁に相当し、読取口１４の四辺のうち他の２辺１４ｃ，１４ｄも筐体１１の上面１１ａの他の一縁にそれぞれ相当する。このため、上面１１ａは、図２に示すように、一端部１５を除いた読取口１４を囲う３つの縁部分の幅が、上ケース１２の四角環状に形成される本体部１２ａの厚みにほぼ等しくなるように形成される。すなわち、上面１１ａは、辺１４ｂ〜１４ｄに沿う各縁部分の幅が一端部１５に対して小さくなるように形成されている。
【００２２】
読取口１４は、パスポート６０の表示面６１に合わせて形成されている。具体的には、読取口１４は、上記他の２辺１４ｃ，１４ｄ間の距離が表示面６１の幅Ｗ（図５参照）にほぼ一致するように形成されている。また、表示面６１とこの表示面６１を見開きの一方の片面とする他方の片面６２との間となる部分を境界部６３（図５参照）とし、図６に示すように、境界部６３を上記上面１１ａの一縁に合わせるようにパスポート６０の表示面６１を読取口１４に接触させるようにかざしたときに、読取口１４は、表示面６１の下縁６１ｂが一辺１４ａにほぼ一致するように形成されている。
【００２３】
下ケース１３は、その高さがパスポート６０の読み取りに適するように設定されている。具体的には、下ケース１３の底面１３ａには載置時に載置面に接触する複数の脚部が設けられており、下ケース１３は、図６に示すように、境界部６３を上記上面１１ａの一縁に合わせるようにパスポート６０の表示面６１を読取口１４に接触させるようにかざしたときに、他方の片面６２の一縁６２ａが底面１３ａに達し載置面には達しない高さとなるように形成されている。
【００２４】
次に、情報読取装置１０の電気的構成について説明する。図４に示すように、情報読取装置１０は、主に、照明光源２１、結像部２７、撮像部２３等の光学系と、メモリ３５、制御部４０等のマイクロコンピュータ（以下「マイコン」という）系と、図示しない電源部、電源スイッチ等の電源系とを備えている。
【００２５】
光学系は、投光光学系と、受光光学系とに分かれている。投光光学系を構成する照明光源２１は、均一な照明光を照射可能な面光源として機能するものである。この照明光源２１は、一端部１５の下方に配置されて、反射部材５０に向けて均一な照明光を照射するように構成されている。これにより、保護プレート１６による反射のために反射部材５０が撮像部２３による視野範囲に入る場合でも反射部材５０が均等に明るくなるため、反射部材５０の映り込みによる影響を抑制することができる。
【００２６】
また、図１〜図３に示すように、投光光学系は、照明光源２１からの光を反射して導く反射部材５０を備えている。この反射部材５０は、筐体１１の内部において照明光源２１からの照明光が照射される位置に配置され、照明光源２１からの照明光が読取口１４を通って筐体１１の外部に照射されるように導く構成となっている。反射部材５０は、第１反射部５１、第２反射部５２及び第３反射部５３を備えており、読取口１４の外縁側の照度を読取口１４の中心側の照度よりも高めるため、それぞれ照明光源２１から離れる方向に凸となるように湾曲して形成されている。具体的には、第１反射部５１は、図３に示すように、上端が読取口１４の辺１４ｂに連なるように湾曲して形成されている。また、第２反射部５２は上端が読取口１４の辺１４ｃに連なり、第３反射部５３は上端が読取口１４の辺１４ｄに連なるように、それぞれ形成されている。また、第１反射部５１、第２反射部５２及び第３反射部５３の下端により開口５４が構成され、この開口５４は、結像部２７を露出させるように形成されている。なお、図４では、便宜上、反射部材５０の図示を省略している。
【００２７】
図３及び図４に示すように、受光光学系は、撮像部２３、結像部２７などによって構成されている。撮像部２３は、例えばＣＣＤ素子やＣＭＯＳ素子等の固体撮像素子（受光素子）が二次元的に配列された受光センサ（エリアセンサ）などによって撮像手段として構成されており、結像部２７に面する側に筐体外からの光を受光し得る受光面２３ａが配置されている。この撮像部２３は、読取口１４を介して入射した光が結像部２７を通過して受光面２３ａに入り込もうとする入射光を受光し得るように基板に実装されている。
【００２８】
結像部２７は、公知の結像レンズによって構成され、結像光学系として機能している。この結像部２７は、撮像部２３で撮像可能となる視野範囲を定めると共に、筐体１１の外部から読取口１４を通過して入り込んだ光を撮像部２３の受光面２３ａに導く構成となっている。特に、結像部２７は、読取口１４が視野範囲内となり、保護プレート１６による反射や読取対象による反射を除いて反射部材５０が視野範囲外となるように配置されている（図３の一点鎖線Ｓ参照）。
【００２９】
そして、結像部２７は、筐体１１の外部において視野範囲内に表示面６１等の撮像対象が配置されたときに当該撮像対象の像を撮像部２３の受光面２３ａに結像させるように機能する。本構成では、照明光源２１から照射され、反射部材５０によって筐体外に導かれた照明光を撮像対象に当てながら当該撮像対象を撮像し得るようになっており、結像部２７は、撮像対象が視野範囲内（撮像エリア内）に配置されたときに、この撮像対象からの反射光Ｌｒを集光し、撮像部２３の受光面２３ａに撮像対象の像を結像させるように構成されている。
【００３０】
マイコン系は、増幅回路３１、Ａ／Ｄ変換回路３４、メモリ３５、アドレス発生回路３６、同期信号発生回路３８、制御部４０等によって構成されており、例えば上述した光学系によって撮像された表示情報等の画像信号を信号処理するように構成されている。具体的には、視野範囲内に配置された表示情報等が撮像部２３によって撮像されたときの撮像画像のデータをメモリ３５に記憶可能に構成されており、制御部４０は、このような表示情報等の画像データを解析し、文字情報等であればＯＣＲ技術を用いて認識するように構成されている。また、制御部４０は、視野範囲内に配置された情報コードが撮像部２３によって撮像された場合には、この情報コードのコード画像を解析することで光学的に読み取る情報コード読取手段として機能するように構成されている。すなわち、制御部４０は、撮像部２３による撮像結果に基づいて表示面に表示される所定の情報を読み取る読取部として機能する。
【００３１】
また、図４に示すように、制御部４０には、操作部４２、表示部４３、スピーカ４４、通信インタフェース４５等が接続されている。操作部４２は、一端部１５に対して外部操作可能に設けられるタッチスイッチとしてモード切替スイッチ４２ａとスキャンスイッチ４２ｂとを備えており、使用者の操作に応じて制御部４０に対して操作信号を与える構成をなしており、制御部４０は、操作部４２から操作信号を受けたとき、その操作信号に応じた動作を行うように構成されている。モード切替スイッチ４２ａは、上述したパスポート読取モード、情報コード読取モード、免許証等読取モード等を切り替える際に操作されるスイッチとして構成され、スキャンスイッチ４２ｂは、その切り替えられたモードにて読み取りを開始する際に操作されるスイッチとして構成されている。なお、例えば、パスポート６０等、既定の表示媒体が検出可能に読取口１４にかざされる場合には、操作部４２を操作することなく、検出された表示媒体に応じたモードに自動的に切り替えた上で自動的に読み取りを開始してもよい。
【００３２】
表示部４３は、一端部１５に設けられるモード表示ＬＥＤ４３ａと読取確認等表示ＬＥＤ４３ｂとを備えており、モード切替スイッチ４２ａとスキャンスイッチ４２ｂとの間であって、読取確認等表示ＬＥＤ４３ｂがモード表示ＬＥＤ４３ａよりも細長くなるように配置されている。表示部４３は、制御部４０により制御されて、切り替えられたモードを識別可能にモード表示ＬＥＤ４３ａが点灯し、読取結果等を確認可能に読取確認等表示ＬＥＤ４３ｂが点灯するように構成されている。具体的には、例えば、モード表示ＬＥＤ４３ａは、パスポート読取モードに切り替えられている場合に緑色に点灯し、情報コード読取モードに切り替えられている場合に赤色に点灯し、免許証等読取モードに切り替えられている場合に青色に点灯し、切り替えられたモードを表示可能な表示部として機能する。また、例えば、読取確認等表示ＬＥＤ４３ｂは、読み取り又は撮像可能な状態である場合に緑色に点灯し、読み取りが成功した場合に青色に点灯し、読み取りが失敗した場合に赤色に点灯し、読取部による読取結果を表示可能な表示部として機能する。
【００３３】
スピーカ４４は、公知のスピーカ等によって発音部として構成されており、制御部４０からの動作信号に応じて、予め設定された音声やアラーム音等の各種通知音を、一端部１５に設けられる放音口４４ａを介して放音するように構成されている。なお、保護プレート１６は、放音口４４ａを露出させるように形成されてもよい。
【００３４】
通信インタフェース４５は、外部機器との間での無線通信又は有線通信にてデータ通信を行うためのインタフェースとして構成されており、制御部４０と協働して通信処理を行う構成をなしている。
【００３５】
また、情報読取装置１０は、筐体１１と別体となる外部モニタ（以下、モニタ４６ともいう）と外部入力装置（以下、入力装置４７ともいう）とを備えており、モニタ４６及び入力装置４７は、通信インタフェース４５等を介してそれぞれ制御部４０に接続されている。モニタ４６は、制御部４０によりその表示内容が制御されて、後述する読取結果等を表示して報知する報知部として機能する。入力装置４７は、キーボードやマウス等からなり、その入力操作に応じた操作信号を制御部４０に入力する入力部として機能する。
【００３６】
このように構成される情報読取装置１０では、パスポート６０を読み取る場合には、モード切替スイッチ４２ａを操作することでパスポート読取モードに切り替えた後、図６に示すように、境界部６３を上面１１ａの一縁（１４ｂ側）に合わせるように表示面６１を読取口１４に接触させるようにかざした状態でスキャンスイッチ４２ｂを操作する。これにより、反射部材５０にて反射された照明光源２１からの照明光が照射された状態で表示面６１が撮像され、この表示面６１に表示される旅券情報６１ａ等がＯＣＲ技術を用いて認識される。
【００３７】
特に、パスポート読取モードにおいて制御部４０にてなされる読取処理では、読み取られた文字列やその際の撮像画像が旅券番号を基準としてデータベース化されて記憶部として機能するメモリ３５に記憶（保管）される。さらに、読取処理では、旅券番号が一致する過去データがメモリ３５に記憶されていると、今回読み取った文字列やその撮像画像とその過去データとを比較した比較結果がモニタ４６の表示により報知される。このため、過去データと相違する文字部分を視認した上で現在読み取った文字列又はメモリ３５に記憶される過去の文字列を入力装置４７の入力操作に応じて修正することで、メモリ３５に保管される文字認識結果に含まれる誤読文字の削減が可能となる。
【００３８】
以下、本実施形態において、制御部４０にてなされる読取処理について、図７〜図１０のフローチャートを参照して詳述する。
なお、以下の例では、宿泊施設のカウンタ上に情報読取装置１０がチェックイン端末の一部として配置されており、チェックイン時に宿泊客のパスポート６０が情報読取装置１０の読取口１４にかざされる場合について説明する。
【００３９】
図６に示すようにパスポート６０が読取口１４にかざされた状態で、宿泊施設の従業員による操作等によりパスポート読取モードにおいて読取処理が開始されると、図７のステップＳ１０１に示す撮像処理がなされ、撮像部２３により読取口１４を介した画像が撮像される。次に、ステップＳ１０３に示す文字認識処理にて撮像画像に含まれる各文字列をＯＣＲ技術等を用いて認識するための処理がなされる。なお、上記文字認識処理を行う制御部４０は、「文字認識部」の一例に相当し得る。
【００４０】
そして、ステップＳ１０５の判定処理にて、上記文字認識処理によりパスポート６０を特定可能な特定情報として旅券番号が認識されているか否かについて判定される。ここで、上述のようにパスポート６０を読取口１４にかざしているため、その撮像画像から旅券情報６１ａに含まれる旅券番号が抽出されて認識されると（Ｓ１０５でＹｅｓ）、ステップＳ１０７の判定処理にて、上記文字認識処理にて認識できなかった文字（以下、未認識文字ともいう）があるか否かについて判定される。なお、上記文字認識処理により特定情報としての旅券番号を抽出する制御部４０は、「抽出部」の一例に相当し、旅券番号が認識されない場合には、ステップＳ１０５の判定処理にてＮｏと判定されて、上記ステップＳ１０１からの処理が繰り返される。
【００４１】
ここで、上記文字認識処理により旅券情報６１ａを構成する全ての文字列が認識されていると（Ｓ１０７でＮｏ）、ステップＳ１０９の判定処理にて、旅券番号が一致する過去データがメモリ３５に記憶されているか否かについて判定される。なお、上記ステップＳ１０９の判定処理及び後述するステップＳ１２７の判定処理を行う制御部４０は、「判定部」の一例に相当し得る。
【００４２】
そして、過去にそのパスポート６０が読み取られておらず、旅券番号が一致する過去データがメモリ３５に記憶されていない場合には（Ｓ１０９でＮｏ）、ステップＳ１１７に示す読取結果表示処理がなされる。この処理では、図１１に例示するように、モニタ４６の表示画面上部のパスポート読取結果表示用の各表示欄に上記ステップＳ１０３にて認識された文字列（以下、現文字列ともいう）の対応部分がそれぞれ表示され、モニタ４６の表示画面下部に上記ステップＳ１０１にて撮像した撮像画像（以下、現撮像画像ともいう）が表示されて、読取結果が報知される。その後、所定時間の経過か所定の操作に応じて、現文字列が認識文字列として現撮像画像とともに旅券番号を基準にメモリ３５に記憶されて（Ｓ１１９）、本読取処理が終了する。
【００４３】
一方、過去にそのパスポート６０が読み取られていることから、旅券番号が一致する過去データがメモリ３５に記憶されていると（Ｓ１０９でＹｅｓ）、写真の貼り替え等の偽造の有無を確認するため、ステップＳ１１１に示す画像比較処理がなされる。この画像比較処理のサブルーチンでは、まず、図９のステップＳ２０１に示す撮像画像取得処理がなされ、メモリ３５に記憶されている旅券番号が一致する過去データから撮像画像が取得される。
【００４４】
次に、ステップＳ２０３に示すキーポイント情報取得処理がなされ、上述のようにメモリ３５から取得された過去の撮像画像と現撮像画像とのそれぞれについて、パスポート６０を特定可能な特定画像部分として予め設定されるキーポイントでの画像領域が抽出されて取得される。本実施形態では、例えば、図５の破線枠にて示す２つの画像領域がキーポイントＳ１，Ｓ２として設定されている。
【００４５】
上述のように、現撮像画像と過去の撮像画像とのそれぞれについて各キーポイントＳ１，Ｓ２での画像領域がそれぞれ抽出されて取得されると、ステップＳ２０５のキーポイント比較処理にて、まず、キーポイントＳ１に相当する画像領域について比較され、両撮像画像が一致していると（Ｓ２０７でＹｅｓ）、一致回数Ｎがインクリメント（Ｎ＝Ｎ＋１）される（Ｓ２０９）。この段階では、キーポイントＳ２での比較が残っているため（Ｓ２１１でＹｅｓ）、キーポイントをＳ２に変更して（Ｓ２１３）、このキーポイントＳ２に相当する画像領域について比較される（Ｓ２０５）。このキーポイントＳ２についても両撮像画像が一致していると（Ｓ２０７でＹｅｓ）、一致回数Ｎがインクリメント（Ｎ＝Ｎ＋１）される（Ｓ２０９）。
【００４６】
そして、全てのキーポイントでの比較を終えているため（Ｓ２１１でＮｏ）、ステップＳ２１５の判定処理にて、一致回数Ｎが閾値Ｎｔｈ以上であるか否かについて判定される。ここで、本実施形態では、キーポイントが２つ採用されていることから、閾値Ｎｔｈは２に設定され、上述のように、キーポイントＳ１，Ｓ２のそれぞれで両撮像画像が一致していることから一致回数Ｎが閾値Ｎｔｈ以上となると（Ｓ２１５でＹｅｓ）、現撮像画像と過去の撮像画像とが一致していると判断されて（Ｓ２１７）、画像比較処理のサブルーチンが終了する。一方、いずれかのキーポイントで両撮像画像が一致していないことから、一致回数Ｎが閾値Ｎｔｈ未満となると（Ｓ２１５でＮｏ）、現撮像画像と過去の撮像画像とが一致していないと判断されて（Ｓ２１９）、画像比較処理のサブルーチンが終了する。なお、キーポイントは、２つ採用されることに限らず、３つ以上採用されてもよく、この場合、閾値Ｎｔｈは、その利用環境等に応じて、キーポイント数と等しくなるように設定されてもよいし、キーポイント数よりもある程度少なくなるように設定されてもよい。
【００４７】
上述のように、現撮像画像と過去の撮像画像とが一致していると判断されてサブルーチンが終了すると、ステップＳ１１３の判定処理にてＹｅｓと判定されて、ステップＳ１１５の判定処理にて、現文字列と旅券番号が一致する過去データに含まれる認識文字列とが一致しているか否かについて判定される。なお、上記ステップＳ１１５の判定処理を行う制御部４０は、「比較部」の一例に相当し得る。
【００４８】
ここで、現文字列と認識文字列とが一致していると（Ｓ１１５でＹｅｓ）、現文字列及び現撮像画像が読取結果としてモニタ４６に表示され（Ｓ１１７）、現文字列が認識文字列として現撮像画像とともに旅券番号を基準にメモリ３５に記憶されて（Ｓ１１９）、本読取処理が終了する。
【００４９】
一方、現文字列と認識文字列とが一致していない場合には（Ｓ１１５でＮｏ）、ステップＳ１２１の不一致文字表示処理がなされる。この処理では、モニタ４６の表示画面上部のパスポート用の各表示欄に現文字列の対応部分がそれぞれ表示された状態で、現文字列に対して認識文字列と不一致となる文字を囲う枠Ｆ１が表示されて、不一致となる文字が明示される。また、モニタ４６の表示画面下部に現撮像画像が表示された状態で、上記不一致となる文字に相当する部分を囲うように枠Ｆ２が表示される。
【００５０】
そして、ステップＳ１２３に示す修正処理がなされ、現文字列と認識文字列とのいずれか一方が入力装置４７の入力に応じて修正される。例えば、図１２のように、現文字列に対して認識文字列と不一致となる文字「Ｏ」が枠Ｆ１により囲われ、現撮像画像の上記不一致となる文字に相当する部分となる文字「Ｄ」が枠Ｆ２により囲われており、現文字列に誤読文字が含まれている場合には、入力装置４７の入力操作に応じてその誤読文字が修正されて、修正後の現文字列が認識文字列として現撮像画像とともに旅券番号を基準にメモリ３５に記憶される（Ｓ１１９）。一方、枠Ｆ１により囲われる文字と枠Ｆ２により囲われる文字とが一致する場合、すなわち、認識文字列に誤読文字が含まれている場合には、入力装置４７の入力操作に応じてその誤読文字が修正されることで、メモリ３５に記憶されている認識文字列が正しく補完される。なお、図１２及び後述する図１３，図１４では、図１１のモニタ４６の表示画面上部のパスポート読取結果表示用の表示欄の一部である領域Ｅ１と、図１１のモニタ４６の表示画面下部の原撮像画像のうち上記領域Ｅ１に対応する領域Ｅ２とを、それぞれ拡大して図示している。
【００５１】
また、現撮像画像と過去の撮像画像とが一致していないと判断されてサブルーチンが終了すると、ステップＳ１１３の判定処理にてＮｏと判定されて、ステップＳ１２５の警告処理がなされる。この処理では、モニタ４６の表示画面に過去の撮像画像を表示するとともに現撮像画像と一致しないことを示す情報が表示されて報知される。このようにモニタ４６の表示画面に過去の撮像画像を表示しつつ現撮像画像と一致しないことを表示して報知することで、宿泊施設の従業員等は、そのパスポート６０で写真の貼り替え等が行われていることを容易に認識することができる。この場合には、読み取った文字列等がメモリ３５に記憶されることなく、本読取処理が終了する。
【００５２】
また、上記文字認識処理にて未認識文字があると判定されると（Ｓ１０７でＹｅｓ）、図８のステップＳ１２７の判定処理にて、旅券番号が一致する過去データがメモリ３５に記憶されているか否かについて判定される。ここで、過去にそのパスポート６０が読み取られていることから、旅券番号が一致する過去データがメモリ３５に記憶されていると（Ｓ１２７でＹｅｓ）、ステップＳ１２９に示す画像比較処理が、上記ステップＳ１１１と同様になされる。
【００５３】
そして、現撮像画像と過去の撮像画像とが一致していると判断されてサブルーチンが終了すると（Ｓ１３１でＹｅｓ）、ステップＳ１３３の補完状態表示処理がなされる。この処理では、上記ステップＳ１１５の判定処理と同様に、現文字列と旅券番号が一致する過去データに含まれる認識文字列との不一致が有ればその不一致文字が明示され、さらに、未認識文字が過去の文字列に基づいて推定されるように補完されてその補完部分が明示された状態でモニタ４６に表示される。具体的には、図１３に例示するように、モニタ４６の表示画面上部のパスポート用の各表示欄に現文字列の対応部分がそれぞれ表示された状態で、未認識文字が認識文字列に基づいて補完された補完文字を囲う枠Ｆ１が表示されて、補完文字が明示される。また、モニタ４６の表示画面下部に現撮像画像が表示された状態で、上記補完文字に相当する部分を囲うように枠Ｆ２が表示される。
【００５４】
そして、ステップＳ１３５に示す入力受付処理がなされる。この処理では、モニタ４６の表示内容を視認した従業員等により、補完文字が正しいことが確認されてその補完を承認するための入力操作が入力装置４７に対してなされると、その補完された現文字列が現撮像画像とともに記憶される（Ｓ１１７）。また、モニタ４６の表示内容を視認した従業員等により、補完された文字等が間違っていることが確認されて正しく修正するための入力操作が入力装置４７に対してなされると、その修正された現文字列が認識文字列として現撮像画像とともに旅券番号を基準にメモリ３５に記憶される（Ｓ１１７）。
【００５５】
一方、現撮像画像と過去の撮像画像とが一致していないと判断されてサブルーチンが終了すると（Ｓ１３１でＮｏ）、上述したステップＳ１２５に示す警告処理がなされ、モニタ４６の表示画面に過去の撮像画像を表示するとともに現撮像画像と一致しないことを示す情報が表示されて報知される。
【００５６】
また、上記文字認識処理にて未認識文字があると判定されたパスポート６０が過去に読み取られておらず、旅券番号が一致する過去データがメモリ３５に記憶されていない場合には（Ｓ１２７でＮｏ）、ステップＳ１３７に示す未認識文字補完処理がなされる。この未認識文字補完処理のサブルーチンでは、まず、図１０のステップＳ３０１に示す未認識文字位置特定処理がなされ、パスポート６０の表示面６１における未認識文字の文字位置が特定される。
【００５７】
続いて、ステップＳ３０３に示すエリア特定処理がなされる。パスポート６０の表示面６１に表示される旅券情報６１ａは、数字と英字と所定の記号とから構成されてその配置位置も決まっているため、数字のみが表示される数字エリアと英字のみが表示される英字エリアと数字及び英字等が混在する混在エリアとを区別することができる。すなわち、上記エリア特定処理において、未認識文字が数字エリア内に位置していれば、その未認識文字が数字と判断され、未認識文字が英字エリア内に位置していれば、英字と判断される。特に、英字エリアは、そのエリアごとに、タイプや発行国、姓名、旅券番号の最初の二桁及び国籍等として、表示される英字が限定されるため、その限定された英字を予め辞書データとしてメモリ３５に記憶して認識時に利用することで、未認識文字とされた英字の補完精度を高めてその認識率を向上させることができる。
【００５８】
そして、未認識文字が数字エリア内に位置していることから、未認識文字が数字と判断されると（Ｓ３０５でＹｅｓ）、ステップＳ３０７に示す補完文字特定処理がなされ、その未認識文字が数字であることを前提に最も一致率が高くなる数字が補完文字として特定される。
【００５９】
また、未認識文字が英字エリア内に位置していることから、未認識文字が英字と判断されると（Ｓ３０５でＮｏ，Ｓ３０９でＹｅｓ）、ステップＳ３１１に示す辞書データ取得処理がなされ、メモリ３５に記憶される上記辞書データを利用して、未認識文字の文字位置に表示される可能性がある英字が抽出される。続いて、ステップＳ３１３に示す文字特定処理がなされ、上述のように抽出された英字のうち最も一致率が高くなる英字が補完文字として特定される。なお、上記ステップＳ３１１の処理では、未認識文字の前後の認識済の文字を利用することで、抽出される英字をさらに限定してもよい。
【００６０】
上述のように補完文字が特定されると、ステップＳ３１５に示す置換処理がなされて、現文字列の未認識文字が特定された補完文字に置換されて、未認識文字補完処理のサブルーチンが終了する。一方、未認識文字が混在エリア内に位置している場合には（Ｓ３０５でＮｏ，Ｓ３０９でＮｏ）、未認識文字を置換する補完文字が特定されることなく、未認識文字補完処理のサブルーチンが終了する。
【００６１】
上述のように、現文字列の未認識文字が特定された補完文字に置換されてサブルーチンが終了すると、ステップＳ１３９の判定処理にてＹｅｓと判定されて、ステップＳ１４１の補完状態表示処理がなされる。この処理では、図１２や図１３に例示するように、モニタ４６の表示画面上部のパスポート用の各表示欄に現文字列の対応部分がそれぞれ表示された状態で、現文字列に対して未認識文字が置換された補完文字を囲う枠Ｆ１が表示されて、補完文字が明示される。また、モニタ４６の表示画面下部に現撮像画像が表示された状態で、上記補完文字に相当する部分を囲うように枠Ｆ２が表示される。なお、上記未認識文字補完処理において、一致率が所定値以上となる複数の補完文字が特定される場合には、上記補完状態表示処理において、複数の補完文字が特定されていることを示すとともに、いずれかの補完文字を選択可能に表示してもよい。
【００６２】
そして、ステップＳ１４３に示す入力受付処理にて、上記ステップＳ１３５に示す入力受付理と同様に、その補完を承認するための入力操作か正しく修正するための入力操作がなされることで、その補完等された現文字列が認識文字列として現撮像画像とともに旅券番号を基準にメモリ３５に記憶される（Ｓ１１７）。
【００６３】
一方、現文字列の未認識文字を置換する補完文字が特定されることなくサブルーチンが終了すると、ステップＳ１３９の判定処理にてＮｏと判定されて、ステップＳ１４５の未認識文字位置表示処理がなされる。この処理では、図１４に例示するように、異物等が撮像画像に映り込んだために未認識文字が生じていると、モニタ４６の表示画面上部のパスポート用の各表示欄に現文字列の対応部分がそれぞれ表示された状態で、現文字列に対して未認識文字「？」を囲う枠Ｆ１が表示されて、未認識文字「？」が明示される。また、モニタ４６の表示画面下部に現撮像画像が表示された状態で、上記未認識文字に相当する部分、すなわち、異物等により隠された文字部分を囲うように枠Ｆ２が表示される。なお、上述したステップＳ３０７，Ｓ３１３の文字特定処理では、補完文字の一致率が所定値以下であると、未認識文字をその補完文字に置換することなく補完文字が特定されないとして（Ｓ１３９でＮｏ）、上記未認識文字位置表示処理がなされてもよい。
【００６４】
そして、ステップＳ１４７に示す修正処理がなされ、モニタ４６の表示内容を視認した従業員等により、現文字列の未認識文字が入力装置４７の入力に応じて修正され、その修正された現文字列が認識文字列として現撮像画像とともに旅券番号を基準にメモリ３５に記憶される（Ｓ１１７）。
【００６５】
以上説明したように、本実施形態に係る情報読取装置１０では、制御部４０にてなされる読取処理において、撮像部２３により撮像された画像から認識された旅券情報６１ａの文字列が、抽出された旅券番号に関連付けられて認識文字列としてメモリ３５に記憶される。そして、文字列が認識されたパスポート６０ごとに、対応する旅券番号がメモリ３５に記憶されているか否かについて判定され、対応する旅券番号がメモリ３５に記憶されていると判定されると、認識された現文字列と、旅券番号に関連してメモリ３５に記憶される認識文字列とが比較されて、その比較結果が報知部として機能するモニタ４６の表示により報知される。そして、現文字列又は認識文字列を修正するための情報を入力可能な入力部として入力装置４７が設けられる。
【００６６】
これにより、パスポート６０を撮像することで読み取った現文字列と、過去にそのパスポート６０を撮像することで読み取って記憶された認識文字列とが一部でも異なっているとその旨が比較結果として報知されるので、例えば、過去に読み取った認識文字列に誤読文字が含まれている場合でもその誤読文字の存在を容易に把握することができる。このような場合には、当該パスポート６０の文字列を視認した上で入力装置４７を利用して認識文字列を修正するための情報を入力できる。したがって、メモリ３５に保管（記憶）される文字認識結果に含まれる誤読文字を減らして情報のブラッシュアップを行い得る情報読取装置１０を実現することができる。
【００６７】
さらに、モニタ４６は、現文字列と認識文字列との比較結果として、撮像部２３により撮像された文字列を利用して、認識された現文字列とメモリ３５に記憶される認識文字列との異なる文字部分を枠Ｆ１，Ｆ２を利用することで明示して報知する（Ｓ１２１）。これにより、過去に読み取った認識文字列に誤読文字が含まれている場合には、その誤読文字部分が現時点で撮像された文字列を利用して明示されるので、誤読文字の箇所を容易に把握できるだけでなく、どの文字に修正すればよいか容易に判断することができる。
【００６８】
特に、制御部４０にてなされる読取処理では、旅券番号を抽出可能であって文字列の一部が認識できない場合に、当該旅券番号に関連付けられた認識文字列がメモリ３５に記憶されていると（Ｓ１２７でＹｅｓ）、当該認識文字列に基づいて、認識できない文字列の一部を推定する（Ｓ１３３）。これにより、撮像した文字列の一部が認識できない場合でも、その認識できない文字列の一部を、そのパスポート６０に関して過去に読み取った認識文字列から推定できるので、認識できない文字の補正に関して入力作業を減らすことができる。
【００６９】
また、メモリ３５には、認識文字列が撮像画像と旅券番号との双方に関連付けられて記憶される。そして、さらに、旅券番号に関連してメモリ３５に記憶される撮像画像と撮像部２３により撮像された現撮像画像とをキーポイントを利用して比較した比較結果がモニタ４６の表示画面に表示されて報知される（Ｓ１２５）。これにより、例えば、読み取られたパスポート６０の旅券情報６１ａを構成する文字列や撮像画像が記憶された後にその写真の貼り替えを行っていると、そのパスポート６０の旅券情報６１ａを読み取る際にその写真の部分を異なる比較結果として報知できるので、写真の貼り替え等の偽造防止に寄与することができる。なお、上記撮像処理にて撮像された撮像画像が認識文字列等とともにメモリ３５に記憶されることに限らず、パスポート６０の表示面６１に相当する特定画像部分など、上記撮像処理にて撮像された撮像画像のうちパスポート６０を特定可能な特定画像部分であって各キーポイントを全て含む画像部分が認識文字列等とともにメモリ３５に記憶されてもよい。
【００７０】
［第２実施形態］
次に、本第２実施形態に係る情報読取装置及び情報読取システムについて、図１５を参照して説明する。
本第２実施形態では、認識文字列及び撮像画像が他の情報読取装置と共有される点が、上記第１実施形態と主に異なる。
【００７１】
すなわち、本実施形態に係る情報読取システム１は、上述した情報読取装置１０を複数有し、これら複数の情報読取装置１０のそれぞれと通信可能なサーバ２を備えるように構成されており、このサーバ２を利用して各情報読取装置１０間で認識文字列及び撮像画像が共有される。
【００７２】
例えば、情報読取装置１０では、上述した読取処理がなされて認識文字列及び撮像画像が取得されるごとにその取得した認識文字列及び撮像画像をサーバ２に送信する。そして、サーバ２は、このように受信した認識文字列及び撮像画像を他の情報読取装置１０に配信し、他の情報読取装置１０は、サーバ２から受信した認識文字列及び撮像画像をメモリ３５に記憶する。なお、認識文字列及び撮像画像のサーバ２への送信及びサーバ２からの配信は、それぞれ所定のタイミングでまとめて行われてもよい。
【００７３】
このように、本実施形態では、各情報読取装置１０のそれぞれのメモリ３５に記憶される情報のうち少なくとも認識文字列等に関する情報は、サーバ２を利用して複数の情報読取装置１０間で共有されるため、どの情報読取装置１０を利用しても保管（記憶）される文字認識結果に含まれる誤読文字を減らして情報のブラッシュアップを行うことができるので、システムとして利便性を高めることができる。
【００７４】
なお、本発明は上記各実施形態に限定されるものではなく、例えば、以下のように具体化してもよい。
（１）上記ステップＳ１１５の判定処理では、現文字列と旅券番号が一致する過去データが複数メモリ３５に記憶されている場合、最新の過去データの認識文字列と現文字列とを比較することに限らず、全ての認識文字列と現文字列とをそれぞれ比較するようにしてもよい。その場合、これらの比較結果を上記ステップＳ１１７の読取結果表示処理にてモニタ４６の表示を利用して報知することができる。
【００７５】
（２）上記読取処理では、上記ステップＳ１０７の判定処理にて未認識文字があると判定されると、撮像条件等を変更して再度ステップＳ１０１からの処理を繰り返し、所定回数繰り返しても未認識文字があると判定される場合に、ステップＳ１２７以降の処理を行うようにしてもよい。
【００７６】
（３）上記ステップＳ１２１の不一致文字表示処理では、図１２に例示するような枠Ｆ１及び枠Ｆ２を用いて不一致となる文字を明示することに限らず、例えば、不一致となる文字の色を変更して強調してもよいし、不一致となる文字の背景色を変更して強調してもよい。また、上記ステップＳ１３３，Ｓ１４１の補完状態表示処理でも同様に、枠Ｆ１及び枠Ｆ２を用いて補完文字を明示することに限らず、例えば、補完文字の色を変更して強調してもよいし、補完文字の背景色を変更して強調してもよい。
【００７７】
（４）入力装置４７を利用した入力は、複数の選択肢がある場合には、コンボボックス形式を利用することで、モニタ４６に一覧で表示される複数の選択肢を選択可能に行われてもよい。
【００７８】
（５）本発明に係る情報読取装置１０及び情報読取システム１は、上述した宿泊施設にてパスポート６０の読み取りに採用されることに限らず、例えば、販売店でのパスポート６０の読み取りに採用されてもよいし、パスポート６０に限らず、撮像した表示媒体の情報を読み取りその読み取りデータを保管する装置やシステムとして採用されてもよい。
【符号の説明】
【００７９】
１…情報読取システム
２…サーバ
１０…情報読取装置
２３…撮像部
３５…メモリ（記憶部）
４０…制御部（文字認識部，抽出部，判定部，比較部）
４６…モニタ（報知部）
４７…入力装置（入力部）
６０…パスポート（表示媒体）
６１ａ…旅券情報（文字列）
【図１】
2019067179.tif 000003
【図２】
2019067179.tif 000004
【図３】
2019067179.tif 000005
【図４】
2019067179.tif 000006
【図５】
2019067179.tif 000007
【図６】
2019067179.tif 000008
【図７】
2019067179.tif 000009
【図８】
2019067179.tif 000010
【図９】
2019067179.tif 000011
【図１０】
2019067179.tif 000012
【図１１】
2019067179.tif 000013
【図１２】
2019067179.tif 000014
【図１３】
2019067179.tif 000015
【図１４】
2019067179.tif 000016
【図１５】
2019067179.tif 000017